(57)【要約】【課題】多段階にかつ種々の所望の条件で熱交換速度を変えることができる蓄熱装置等を提供すること。【解決手段】蓄熱装置１では、熱媒流体の流れ方向に直交する方向に所定の間隔１９でガイドレール７に取り付けて並べられた複数枚の蓄熱体５が１つの蓄熱体群１１を構成する。これらの蓄熱体５は、ガイドレール７上を移動可能である。蓄熱槽３には、複数の蓄熱体群１１が、熱媒流体の流れ方向に直列に配置される。蓄熱装置１では、蓄熱槽制御装置２５による制御により、蓄熱体群１１毎に蓄熱体５を移動させ、隣接する蓄熱体５の対向する面６同士を接触させて、熱媒流体に対する蓄熱体５の合計露出面積を多段階に変化させることにより、熱媒流体と蓄熱体５との熱交換速度を多段階に変化させる。【選択図】図３
2013181692.tif 000002
【特許請求の範囲】
【請求項１】
熱媒流体が流通する蓄熱槽の内部に配置した複数の蓄熱体と、
前記蓄熱体を移動させる移動手段と、
を具備し、
前記移動手段により前記蓄熱体を移動させることで、前記蓄熱槽における前記蓄熱体と前記熱媒流体との熱交換速度を少なくとも３段階以上で調整可能としたことを特徴とする蓄熱装置。
【請求項２】
前記移動手段による前記蓄熱体の移動を制御する制御装置をさらに具備することを特徴とする請求項１記載の蓄熱装置。
【請求項３】
前記移動手段は、前記蓄熱体を移動させて隣接する蓄熱体の対向する面同士を接触させ、前記熱媒流体に対する複数の前記蓄熱体の合計露出面積を変化させることを特徴とする請求項１または請求項２記載の蓄熱装置。
【請求項４】
前記移動手段は、複数の前記蓄熱体が取り付けられるガイドレールを備え、前記蓄熱体が前記ガイドレール上を移動可能であることを特徴とする請求項３記載の蓄熱装置。
【請求項５】
前記ガイドレールに取り付けられた複数の前記蓄熱体が、前記蓄熱槽内で複数並べられることを特徴とする請求項４記載の蓄熱装置。
【請求項６】
前記移動手段は、前記蓄熱体を回転移動させて、前記熱媒流体の流れ方向に対する設置角度を変化させることを特徴とする請求項１または請求項２記載の蓄熱装置。
【請求項７】
対象空間の温度の調整を行う空調システムであって、
前記対象空間の空調条件を設定する空調条件設定装置と、
前記対象空間の温度を計測する温度計測装置と、
前記対象空間に流入する空気の熱交換を行う蓄熱装置と、
を具備し、
前記蓄熱装置は、
前記空気が流通する蓄熱槽の内部に配置した複数の蓄熱体と、
前記蓄熱体を移動させる移動手段と、
前記移動手段による前記蓄熱体の移動を制御する制御装置と、
を備え、
前記制御装置が、前記空調条件設定装置から入力される前記空調条件および前記温度計測装置から入力される前記温度に基づき、前記移動手段により前記蓄熱体を移動させることで、前記蓄熱槽における前記蓄熱体と前記空気との熱交換速度を少なくとも３段階以上で調整可能としたことを特徴とする空調システム。
【発明の詳細な説明】
【技術分野】
【０００１】
本発明は、蓄熱体と熱媒流体との間で熱交換を行なう蓄熱装置、およびこれを用いた空調システムに関する。
【背景技術】
【０００２】
蓄熱装置は、蓄熱材と熱媒流体との間で熱交換を行なって液体や気体を所望の温度とするものである。蓄熱装置に用いられる蓄熱材としては、潜熱蓄熱材や顕熱蓄熱材が知られている。
【０００３】
これらの蓄熱材を用いた蓄熱装置において、熱媒流体の保温や保冷のための熱供給時間（ここで、熱とは熱媒流体の加熱を行うための温熱と熱媒流体の冷却を行うための冷熱とを含む）を長くするためには、蓄熱材の量を増大させるのが有効だと考えられる。しかし、蓄熱材の量を増大させると、蓄熱材に蓄熱するのに要する蓄熱時間が長くなる、蓄熱装置が大型化するという問題がある。
【０００４】
そのため、特許文献１では、蓄熱材の熱交換面の面積を可変にすることにより、蓄熱時には蓄熱時間を短くし、保温時には熱供給時間を長くする蓄熱器が提案されている。これは、蓄熱時に熱交換面の面積を拡げ熱交換速度を速め、保温時に熱交換面の面積を狭め熱交換速度を低下させるものである。
【先行技術文献】
【特許文献】
【０００５】
【特許文献１】特開２０１１−７５１９２号公報
【発明の概要】
【発明が解決しようとする課題】
【０００６】
しかしながら、特許文献１に記載の蓄熱器は、流体中のバイメタル等が温度に依存して形状変化することで、熱交換面の面積が２種類に切り替わるものであり、多段階的に、例えば３段階以上に熱交換面の面積を切り替えることができなかった。また熱交換面の面積の切り替えも、バイメタル等がその形状変化温度に達した時点でしか行うことができなかった。
【０００７】
本発明は、前述した問題点に鑑みてなされたもので、その目的とすることは、多段階にかつ種々の所望の条件で熱交換速度を変えることができる蓄熱装置等を提供することである。
【課題を解決するための手段】
【０００８】
前述した目的を達成するための本発明は、熱媒流体が流通する蓄熱槽の内部に配置した複数の蓄熱体と、前記蓄熱体を移動させる移動手段と、を具備し、前記移動手段により前記蓄熱体を移動させることで、前記蓄熱槽における前記蓄熱体と前記熱媒流体との熱交換速度を少なくとも３段階以上で調整可能としたことを特徴とする蓄熱装置である。
【０００９】
本発明では、蓄熱槽の内部で、種々の所望の条件により移動手段で蓄熱体を移動させることができ、これにより、熱媒流体と蓄熱体との熱交換速度を多段階（３段階以上）に調整することができるようになる。
【００１０】
また、前記移動手段による前記蓄熱体の移動を制御する制御装置をさらに具備することが望ましい。
これにより、熱交換速度の設定に関する種々の条件を定め、これに応じて、制御装置により蓄熱体の移動の制御を行い、熱交換速度を調整できるようになる。
【００１１】
また、前記移動手段は、前記蓄熱体を移動させて隣接する蓄熱体の対向する面同士を接触させ、前記熱媒流体に対する複数の前記蓄熱体の合計露出面積を変化させることが望ましい。
このようにして蓄熱体の合計露出面積、すなわち熱交換面の面積を変化させることで、熱交換速度の調整を容易に行うことができる。
【００１２】
さらに、前記移動手段は、複数の前記蓄熱体が取り付けられるガイドレールを備え、前記蓄熱体が前記ガイドレール上を移動可能であることが望ましい。
移動手段として、複数の蓄熱体をガイドレールに取り付け、蓄熱体をガイドレール上で移動させることにより、簡単な機構を用いて容易に蓄熱体を移動させ、隣接する蓄熱体の対向する面同士を接触させることができる。
【００１３】
加えて、前記ガイドレールに取り付けられた複数の前記蓄熱体が、前記蓄熱槽内で複数並べられることが望ましい。
ガイドレールに取り付けられた複数の蓄熱体を、蓄熱槽内で複数並べることにより、合計露出面積のより細かい制御が可能となる。
【００１４】
また、前記移動手段は、前記蓄熱体を回転移動させて、前記熱媒流体の流れ方向に対する設置角度を変化させるものであってもよい。
このようにして、蓄熱体を回転させて、熱媒流体の流れ方向に対する蓄熱体の設置角度を変化させることでも、熱交換速度の調整を容易に行うことができる。
【００１５】
第２の発明は、対象空間の温度の調整を行う空調システムであって、前記対象空間の空調条件を設定する空調条件設定装置と、前記対象空間の温度を計測する温度計測装置と、前記対象空間に流入する空気の熱交換を行う蓄熱装置と、を具備し、前記蓄熱装置は、前記空気が流通する蓄熱槽の内部に配置した複数の蓄熱体と、前記蓄熱体を移動させる移動手段と、前記移動手段による前記蓄熱体の移動を制御する制御装置と、を備え、前記制御装置が、前記空調条件設定装置から入力される前記空調条件および前記温度計測装置から入力される前記温度に基づき、前記移動手段により前記蓄熱体を移動させることで、前記蓄熱槽における前記蓄熱体と前記空気との熱交換速度を少なくとも３段階以上で調整可能としたことを特徴とする空調システム。
【００１６】
第２の発明は、第１の発明の蓄熱装置を用いた空調システムであり、対象空間の空調条件の設定や対象空間の温度に応じて、蓄熱装置での熱交換速度を多段階に制御することができるようになる。ここで、空調条件とは、空調設定温度（目的温度）や立ち上がり時間など、対象空間の空気調整に関する条件である。
【発明の効果】
【００１７】
本発明によれば、多段階にかつ種々の所望の条件で熱交換速度を変えることができる蓄熱装置等を提供できる。
【図面の簡単な説明】
【００１８】
【図１】蓄熱装置１の斜視図
【図２】蓄熱体５について示す図
【図３】蓄熱槽３内の蓄熱体５の配置を示す平面図
【図４】蓄熱装置１を用いた空調システム２１の概要を示す図
【図５】蓄熱装置１ａの蓄熱槽３内の蓄熱体５ａの配置を示す平面図
【発明を実施するための形態】
【００１９】
［第１の実施形態］
まず、図面に基づいて、本発明の第１の実施形態について詳細に説明する。
【００２０】
図１は、第１の実施形態の蓄熱装置１の斜視図である。なお、図では蓄熱槽３の内部の蓄熱体５等も示している。
図１に示すように、蓄熱装置１は、蓄熱槽３、複数の蓄熱体５、ガイドレール７、流体パイプ９、蓄熱槽制御装置２５等からなる。
【００２１】
蓄熱槽３は直方体の槽である。流体パイプ９は、蓄熱槽３の対向する２面に設けられる。流体パイプ９の内部と蓄熱槽３の内部とは連通しており、流体パイプ９は、矢印Ａに示すように、熱媒流体の蓄熱槽３への供給・蓄熱槽３からの排出を行う。なお、本実施形態では、熱媒流体は空気である。
【００２２】
蓄熱槽３では熱媒流体が流通するとともに、複数の蓄熱体５により構成される蓄熱体群１１が、熱媒流体の流れ方向（矢印Ａに示す方向）に沿って３つ直列に並べられる。
【００２３】
図２は、蓄熱体５について示す図である。図２（ａ）は、蓄熱体５の正面図、図２（ｂ）は、蓄熱体群１１の側面図、図２（ｃ）は、水平面で切断した蓄熱体５の斜視図である。
【００２４】
図２（ａ）に示すように、蓄熱体５は矩形の板状部材である。ガイドレール７は、矩形の蓄熱体５の四隅に配置される。
図２（ｂ）に示すように、蓄熱装置１では、熱媒流体の流れ方向に直交する方向（矢印Ｂに示す方向）に配置されたガイドレール７に沿って、１０枚の蓄熱体５が所定の間隔１９で並べられ、これらが１つの蓄熱体群１１を構成する。各蓄熱体５は、図示しないモータ等の駆動により、ガイドレール７に沿って移動可能である。これらガイドレール７やモータは、蓄熱体５の移動手段を構成する。
【００２５】
図２（ｃ）に示すように、蓄熱体５は、容器１３の内部に蓄熱材１５を封入したものである。蓄熱材１５は、本実施形態では潜熱蓄熱材とし、各種の水和塩、パラフィン類、有機物などが用いられるが、顕熱蓄熱材を用いることも可能である。容器１３は、熱伝導率の高い材料からなる。熱伝導率の高い材料とは、例えば、アルミニウム、銅、ステンレススチール（ＳＵＳ）等である。
【００２６】
なお、蓄熱装置１では、蓄熱槽３を図示しないカバー体で覆ってもよい。カバー体は、例えば、グラスウール、フェノール類等の、熱伝導率が１．０Ｗ／ｍＫ以下の材料からなることが望ましい。
【００２７】
蓄熱槽制御装置２５は、前記のモータ等を駆動して蓄熱槽３内の蓄熱体５を移動させ、蓄熱体５の合計露出面積、すなわち熱交換面の面積を多段階に（３段階以上に）調整することにより、蓄熱装置１における熱交換速度を多段階に調整するものである。以下、その方法について図３を参照して説明する。
【００２８】
なお、熱交換速度は、単位時間あたりの伝達熱量の大きさをいい、蓄熱装置１における熱交換速度の調整とは、各実施形態における蓄熱体５の移動に伴い変化する値以外の、熱交換速度に影響を与える値（蓄熱体５と熱媒流体との温度差等）を仮に固定した場合の熱交換速度が変化し調整されることをいう。
本実施形態において、蓄熱体５の移動に伴い変化する値とは、前記したように蓄熱体５の合計露出面積である。
【００２９】
図３は、蓄熱槽３内の蓄熱体５の配置状態を示す平面図である。
図に示すように、蓄熱装置１では、蓄熱体群１１毎に蓄熱体５を移動させ、隣接する蓄熱体５の対向する面６同士を接触させて、熱媒流体に対する蓄熱体５の合計露出面積を４段階で変化させる。
【００３０】
図３（ａ）は、合計露出面積が最も大きい場合の蓄熱体５の配置状態を示す図である。図３（ａ）では、蓄熱体群１１−１、蓄熱体群１１−２、蓄熱体群１１−３の全てにおいて、隣接する蓄熱体５同士の間に隙間１７がある。そのため、蓄熱体５の合計露出面積が最も広くなる。
【００３１】
図３（ｂ）は、合計露出面積が２番目に大きい場合の蓄熱体５の配置状態を示す図である。図３（ｂ）では、蓄熱体群１１−２、蓄熱体群１１−３において、隣接する蓄熱体５同士の間に隙間１７があるが、蓄熱体群１１−１では、隣接する蓄熱体５の対向する面６同士が接触している。そのため、図３（ａ）に示す配置状態に比して、蓄熱体５の合計露出面積が２／３程度の大きさになる。
【００３２】
図３（ｃ）は、合計露出面積が２番目に小さい場合の蓄熱体５の配置状態を示す図である。図３（ｃ）では、蓄熱体群１１−３において、隣接する蓄熱体５同士の間に隙間１７があるが、蓄熱体群１１−１、蓄熱体群１１−２では、隣接する蓄熱体５の対向する面６同士が接触している。そのため、図３（ｂ）に示す配置よりも蓄熱体５の合計露出面積が小さくなり、図３（ａ）に示す配置状態の１／３程度となる。
【００３３】
図３（ｄ）は、合計露出面積が最も小さい場合の蓄熱体５の配置状態を示す図である。図３（ｄ）では、蓄熱体群１１−１、蓄熱体群１１−２、蓄熱体群１１−３の全てにおいて、隣接する蓄熱体５の対向する面６同士が接触している。そのため、蓄熱体５の合計露出面積が最小になる。
【００３４】
上記のように、蓄熱装置１では、蓄熱体群１１の蓄熱体５を移動させ、熱媒流体に対する蓄熱体５の合計露出面積を４段階に変化させる。これに伴い、蓄熱装置１における蓄熱体５と熱媒流体との間の熱交換速度は４段階に変化し、合計露出面積が大きいほど、熱交換速度は上昇する。
【００３５】
次に、この蓄熱装置１を用いた空調システムの例について説明する。
図４は、蓄熱装置１を用いた空調システム２１の概要を示す図である。図４に示すように、空調システム２１は、蓄熱装置１、空調コントローラ２７、温度センサ２９等からなり、対象空間２３における空気調整を行うものである。
【００３６】
空調システム２１では、熱媒流体（空気）が図示しないファン等により流体パイプ９を介して蓄熱装置１に送りこまれ、蓄熱装置１において熱交換が行われる。熱交換が行われた熱媒流体は流体パイプ９を介して排出され、対象空間２３に供給される。
【００３７】
対象空間２３は、空調システム２１による空気調整が行われる対象となる空間であり、各種の室、スペース等である。
【００３８】
この対象空間２３には、空調コントローラ２７、温度センサ２９が配置される。
空調コントローラ２７は、図示しない入力部や制御部等を備え、対象空間２３での空調条件を設定可能な空調条件設定装置である。空調条件とは、空調設定温度（目的温度）や立ち上がり時間など、対象空間２３の空気調整に関する条件である。
温度センサ２９は、対象空間２３の温度を計測する温度計測装置である。
【００３９】
蓄熱槽制御装置２５は、図示しない制御部等を備え、空調コントローラ２７、温度センサ２９から入力される対象空間２３の空調条件や対象空間２３の温度に基づき、前記のように、蓄熱装置１における蓄熱体５の合計露出面積を制御する。
【００４０】
蓄熱槽制御装置２５は、例えば、空調の立ち上げ時に、立ち上がり時間を短くする場合や、空調設定温度と対象空間２３の温度差が大きい場合には、図３（ａ）や図３（ｂ）に示すように、蓄熱体５の合計露出面積を大きくすることにより、熱媒流体の温度を急速に低くまたは高くして対象空間２３に送り込む。その逆の場合、あるいは空調の通常運転時等では、図３（ｄ）や図３（ｃ）に示すように、蓄熱体５の合計露出面積を小さくして、熱交換速度を下げて熱供給時間を長くする。
【００４１】
なお、蓄熱時には、図３（ａ）に示すように、蓄熱体５の合計露出面積を大きくして熱交換速度を上げて蓄熱時間を短くすればよい。この蓄熱は、夜間に安い電力で冷風もしくは温風を生成し蓄熱槽３に吹き込んだり、地熱により一定温度とした空気を蓄熱槽３に吹き込んだりして行なう。
【００４２】
このように、第１の実施形態の蓄熱装置１では、蓄熱槽制御装置２５による制御により、蓄熱槽３内で蓄熱体５を移動させて隣接する蓄熱体５の対向する面６同士を接触させ、熱媒流体に対する蓄熱体５の合計露出面積を４段階で変化させることで、熱交換速度を４段階に調整できる。
この蓄熱装置１を空調システム２１に用いることにより、対象空間２３の空調設定温度や立ち上がり時間等の空調条件や、対象空間２３の温度等に応じて、種々の条件で熱交換速度を変えることができる。この条件は予め蓄熱槽制御装置２５で設定しておけばよい。
【００４３】
また、蓄熱装置１では、複数の蓄熱体５をガイドレール７に取り付け、蓄熱体５をガイドレール７上で移動させて隣接する蓄熱体５の対向する面６同士を接触させ、蓄熱体５の合計露出面積を変化させるため、簡単な機構を用いて熱交換速度を変化させることができる。
また、複数の蓄熱体群１１を、熱媒流体の流れ方向に沿って複数並べることにより、蓄熱体５の合計露出面積の細かい制御が可能となる。
【００４４】
なお、本実施形態では、図３に示すように、合計露出面積の調整時に、１つの蓄熱体群１１の全ての蓄熱体５について、隣接する蓄熱体５の対向する面６同士を接触させたが、１つの蓄熱体群１１において、一部の蓄熱体５のみ隣接する蓄熱体５の対向する面６同士が接触するようにしてもよい。これにより、蓄熱体５の合計露出面積をより細かく多段階で制御することが可能になる。
さらに、第１の実施の形態では、蓄熱体５をモータの駆動によりガイドレール７上で移動させたが、これに限らず、様々な方法で蓄熱体５を移動させ合計露出面積を変化させることが可能である。
【００４５】
加えて、熱交換速度を変化させる方法も、蓄熱体５の合計露出面積を変化させるものに限らない。以下、熱交換速度を変化させる別の例について、第２の実施形態として説明する。
【００４６】
［第２の実施形態］
図５は、第２の実施形態の蓄熱装置１ａにおける蓄熱槽３内の蓄熱体５ａの配置を示す平面図である。なお、図５に示す蓄熱装置１ａにおいて、第１の実施形態の蓄熱装置１と同様の構成部材には、同一の符号を付して説明を一部省略する。
【００４７】
図５（ａ）に示すように、蓄熱装置１ａは、蓄熱槽３、複数の蓄熱体５ａ、支持部材３１、ピン３３、流体パイプ９、蓄熱槽制御装置２５等からなる。
【００４８】
この蓄熱装置１ａでは、熱媒流体の流れ方向（矢印Ｃに示す方向）に直交する方向に所定の間隔３５で並べられた１０枚の蓄熱体５ａが、１つの蓄熱体群１１ａを構成する。各蓄熱体５ａの上辺および下辺の中央は、同一の支持部材３１にピン３３により接合される。蓄熱体５ａは、図示しないモータ等によりピン３３を中心にそれぞれ回転可能である。これらピン３３やモータは、蓄熱体５ａを移動させる移動手段を構成する。なお、蓄熱体５ａの形状や構成、材質は、第１の実施形態の蓄熱体５と同様である。
【００４９】
蓄熱装置１ａでは、蓄熱槽３の内部に、３つの蓄熱体群１１ａが、熱媒流体の流れ方向に直列に配置されている。
【００５０】
次に、蓄熱装置１ａにおいて、熱交換速度を多段階に調整する方法について説明する。蓄熱装置１ａでは、蓄熱体群１１ａ毎に蓄熱体５ａを回転させて、熱媒流体の流れ方向に対する蓄熱体５ａの設置角度を変化させる。
【００５１】
先ほどの図５（ａ）では、熱交換速度が最も小さい場合の蓄熱体５ａの配置状態が示されている。図５（ａ）では、蓄熱体群１１ａ−１、蓄熱体群１１ａ−２、蓄熱体群１１ａ−３の全てにおいて、蓄熱体５ａの上下辺が熱媒流体の流れ方向に平行に配置される。
【００５２】
図５（ｂ）は、熱交換速度が中程度の場合の蓄熱体５ａの配置状態を示す図である。図５（ｂ）では、蓄熱体群１１ａ−２、蓄熱体群１１ａ−３の蓄熱体５ａの上下辺が熱媒流体の流れ方向に平行に配置されるが、蓄熱体群１１ａ−１では、各蓄熱体５ａが回転し、その上下辺が熱媒流体の流れ方向に対して斜め方向に所定の角度で配置される。
【００５３】
図５（ｃ）は、熱交換速度が最も大きい場合の蓄熱体５ａの配置を示す図である。図５（ｃ）では、蓄熱体群１１ａ−１、蓄熱体群１１ａ−２、蓄熱体群１１ａ−３の全てにおいて、蓄熱体５ａが回転し、熱媒流体の流れ方向に対して斜め方向に所定の角度で配置される。
【００５４】
蓄熱装置１ａでは、上記したように、蓄熱槽３内で蓄熱体５ａを回転移動させ、熱媒流体の流れ方向に対する蓄熱体５ａの設置角度を蓄熱体群１１ａごとに変化させる。これにより、熱交換速度が３段階で調整される。蓄熱装置１ａでは、熱媒流体の流れ方向に対し斜め方向に配置された蓄熱体５ａが多いほど、熱交換速度が上昇する。あるいは、設置角度も様々に定めることができ、熱媒流体の流れ方向に対する設置角度が大きいほど、熱交換速度は上昇する。
【００５５】
このように、第２の実施形態の蓄熱装置１ａでは、蓄熱槽３内で蓄熱体５ａを回転移動させ、熱媒流体の流れ方向に対する蓄熱体５ａの設置角度を変化させることにより、熱交換速度を３段階に調整できる。例えば、蓄熱装置１ａを前記の空調システム２１に用いれば、前記と同様、対象空間２３の空調条件や温度等に応じて、熱交換速度を変えることができる。
【００５６】
また、蓄熱装置１ａでは、複数の蓄熱体５ａをピン３３で支持部材３１に取り付け、ピン３３を中心に蓄熱体５ａを回転移動させるため、簡単な機構を用いて容易に熱交換速度を変化させることができる。ただし、これに限らず、様々な方法で蓄熱体５ａを回転移動させ設置角度を変化させることが可能である。
さらに、本実施形態では、１つの蓄熱体群１１ａの全ての蓄熱体５ａを回転させたが、一部のみ回転させることも可能であり、これにより、より細かく多段階に熱交換速度を制御できる。
【００５７】
また、以上の実施形態では、熱媒流体の流れ方向と直交する方向に並べた１０枚の蓄熱体で１つの蓄熱体群を構成し、熱媒流体の流れ方向に３つの蓄熱体群を直列に配置したが、蓄熱体の数量や配置はこれに限らない。例えば、各実施形態において、熱媒流体の流れ方向に複数の蓄熱体を並べ蓄熱体群とし、その直交方向に複数の蓄熱体群を直列に配置することも可能である。
【００５８】
さらに、以上の実施形態では、熱媒流体を空気とし、蓄熱装置を空調システムに用いる例について述べたが、この他乾燥機の補助等としても使用できる。また、熱媒流体は空気に限らない。同様の蓄熱装置を用いて、熱媒流体を水とすれば、風呂水の温度を調整したり、印刷工場で印刷機に用いる冷却水の温度を調整したりすることもでき、これらの場合も同様の効果が得られる。
【００５９】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００６０】
１、１ａ………蓄熱装置
３………蓄熱槽
５、５ａ………蓄熱体
６………面
７………ガイドレール
１１、１１−１〜１１−３、１１ａ、１１ａ−１〜１１ａ−３………蓄熱体群
１５………蓄熱体
【図１】
2013181692.tif 000003
【図２】
2013181692.tif 000004
【図３】
2013181692.tif 000005
【図４】
2013181692.tif 000006
【図５】
2013181692.tif 000007